(57)【要約】  本技術は、周期的に伝送される情報を効率的に伝送することができるようにする送信装置、受信装置、及び、データ処理方法に関する。送信装置は、プリアンブルとデータ部を含む物理層フレームにおいて、周期的に伝送される伝送情報を、データ部に配置される他の情報よりも時間的に先に抽出することが可能な領域に配置し、物理層フレームを、デジタル放送信号として送信する。本技術は、例えば、IP伝送方式のデジタル放送に適用することができる。
2017073336.tif 000002
【特許請求の範囲】
【請求項１】
プリアンブルとデータ部を含む物理層フレームにおいて、周期的に伝送される伝送情報を、前記データ部に配置される他の情報よりも時間的に先に抽出することが可能な領域に配置する処理部と、
前記物理層フレームを、デジタル放送信号として送信する送信部と
を備える送信装置。
【請求項２】
前記伝送情報は、前記プリアンブルの直後であって前記データ部の先頭に配置される
請求項１に記載の送信装置。
【請求項３】
前記伝送情報は、送信側と受信側とで同期をとるための時刻情報、パケットのヘッダ情報を圧縮するためのヘッダ圧縮情報、及び、サービスの選局を行うための選局情報のうち、少なくとも１つの情報を含んでいる
請求項２に記載の送信装置。
【請求項４】
前記データ部において、前記時刻情報、前記ヘッダ圧縮情報、及び、前記選局情報は、その順に配置される
請求項３に記載の送信装置。
【請求項５】
前記物理層フレームにおいて、
前記データ部は、１又は複数のPLP(Physical Layer Pipe)を含み、
各PLPの先頭に、各PLPに対応する前記伝送情報を配置している
請求項１に記載の送信装置。
【請求項６】
前記伝送情報は、UDP(User Datagram Protocol)パケットを含むIP(Internet Protocol)パケットのペイロードに配置される
請求項２に記載の送信装置。
【請求項７】
前記伝送情報は、
UDPパケットを含むIPパケットを伝送するための第１の伝送パケットのペイロード、
前記第１の伝送パケットの拡張ヘッダ、又は、
前記第１の伝送パケットを伝送するための第２の伝送パケットの拡張ヘッダ
に配置される
請求項２に記載の送信装置。
【請求項８】
前記物理層フレームは、前記伝送情報を配置することが可能なブートストラップをさらに含み、
前記伝送情報は、前記ブートストラップ又は前記プリアンブルに配置される
請求項１に記載の送信装置。
【請求項９】
送信装置のデータ処理方法において、
前記送信装置が、
プリアンブルとデータ部を含む物理層フレームにおいて、周期的に伝送される伝送情報を、前記データ部に配置される他の情報よりも時間的に先に抽出することが可能な領域に配置し、
前記物理層フレームを、デジタル放送信号として送信する
ステップを含むデータ処理方法。
【請求項１０】
デジタル放送信号として送信される、プリアンブルとデータ部を含む物理層フレームを受信する受信部と、
前記物理層フレームにおいて、前記データ部に配置される他の情報よりも時間的に先に抽出することが可能な領域に配置されている、周期的に伝送される伝送情報に応じた処理を行う処理部と
を備える受信装置。
【請求項１１】
前記伝送情報は、前記プリアンブルの直後であって前記データ部の先頭に配置されている
請求項１０に記載の受信装置。
【請求項１２】
前記伝送情報は、送信側と受信側とで同期をとるための時刻情報、パケットのヘッダ情報を圧縮するためのヘッダ圧縮情報、及び、サービスの選局を行うための選局情報のうち、少なくとも１つの情報を含んでいる
請求項１１に記載の受信装置。
【請求項１３】
前記データ部において、前記時刻情報、前記ヘッダ圧縮情報、及び、前記選局情報は、その順に配置される
請求項１２に記載の受信装置。
【請求項１４】
前記物理層フレームにおいて、
前記データ部は、１又は複数のPLPを含み、
各PLPの先頭に、各PLPに対応する前記伝送情報を配置している
請求項１０に記載の受信装置。
【請求項１５】
前記伝送情報は、UDPパケットを含むIPパケットのペイロードに配置される
請求項１１に記載の受信装置。
【請求項１６】
前記伝送情報は、
UDPパケットを含むIPパケットを伝送するための第１の伝送パケットのペイロード、
前記第１の伝送パケットの拡張ヘッダ、又は、
前記第１の伝送パケットを伝送するための第２の伝送パケットの拡張ヘッダ
に配置される
請求項１１に記載の受信装置。
【請求項１７】
前記物理層フレームは、前記伝送情報を配置することが可能なブートストラップをさらに含み、
前記伝送情報は、前記ブートストラップ又は前記プリアンブルに配置される
請求項１０に記載の受信装置。
【請求項１８】
受信装置のデータ処理方法において、
前記受信装置が、
デジタル放送信号として送信される、プリアンブルとデータ部を含む物理層フレームを受信し、
前記物理層フレームにおいて、前記データ部に配置される他の情報よりも時間的に先に抽出することが可能な領域に配置されている、周期的に伝送される伝送情報に応じた処理を行う
ステップを含むデータ処理方法。
【発明の詳細な説明】
【技術分野】
【０００１】
本技術は、送信装置、受信装置、及び、データ処理方法に関し、特に、周期的に伝送される情報を効率的に伝送することができるようにした送信装置、受信装置、及び、データ処理方法に関する。
【背景技術】
【０００２】
例えば、次世代地上放送規格の１つであるATSC(Advanced Television Systems Committee)3.0では、データ伝送に、主として、TS(Transport Stream)パケットではなく、IP/UDP、すなわち、UDP(User Datagram Protocol)パケットを含むIP(Internet Protocol)パケットを用いる方式（以下、IP伝送方式という）が採用されることが決定されている。また、ATSC3.0以外のデジタル放送の規格でも、将来的に、IP伝送方式が採用されることが期待されている。【０００３】
ここで、UDPパケットを含むIPパケット（IP/UDPパケット）は、ヘッダに様々な情報が含まれるため、オーバーヘッドが大きい。そこで、IP/UDPパケットを効率的に伝送するための、IP/UDPパケットのヘッダを圧縮するための技術として、IETF(The Internet Engineering Task Force)によるRFC3095で規定されているRoHC(Robust Header Compression)がある。【０００４】
RoHCでは、IPヘッダとUDPヘッダのヘッダ情報をすべて含む伝送パケット（完全な伝送パケット）が送信され、その後の伝送パケットのヘッダ情報については、直前の完全な伝送パケットのヘッダ情報との差分の情報が送信される。【０００５】
例えば、高度BS(Broadcast Satellite)では、IP/UDPパケットのヘッダを圧縮する方式として、RoHCのように、完全な伝送パケットを送信し、その後、完全な伝送パケットのヘッダ情報との差分の情報をヘッダに含むIP/UDPパケットを送信する、IP/UDPパケットのヘッダの圧縮技術が規定されている（例えば、非特許文献１参照）。【０００６】
また、デジタル放送においては、サービス（放送局等に割り当てられたチャンネル）の選局を行うための選局情報や、送信側と受信側で同期をとるための時刻情報を、送信側から受信側に伝送する必要がある。
【先行技術文献】
【非特許文献】
【０００７】
【非特許文献１】ARIB STD-B32 3.0版 一般社団法人 電波産業会
【発明の概要】
【発明が解決しようとする課題】
【０００８】
上述したように、デジタル放送においては、選局情報や時刻情報、ヘッダ圧縮時のヘッダ圧縮情報など、送信側から受信側に対して、周期的に繰り返して伝送される情報がある。一方で、このような周期的に伝送される情報を効率的に伝送するための提案が要請されていた。【０００９】
本技術はこのような状況に鑑みてなされたものであり、周期的に伝送される情報を効率的に伝送することができるようにするものである。
【課題を解決するための手段】
【００１０】
本技術の第１の側面の送信装置は、プリアンブルとデータ部を含む物理層フレームにおいて、周期的に伝送される伝送情報を、前記データ部に配置される他の情報よりも時間的に先に抽出することが可能な領域に配置する処理部と、前記物理層フレームを、デジタル放送信号として送信する送信部とを備える送信装置である。【００１１】
本技術の第１の側面の送信装置は、独立した装置であってもよいし、１つの装置を構成している内部ブロックであってもよい。また、本技術の第１の側面のデータ処理方法は、上述した本技術の第１の側面の送信装置に対応するデータ処理方法である。【００１２】
本技術の第１の側面の送信装置、及び、データ処理方法においては、プリアンブルとデータ部を含む物理層フレームにおいて、周期的に伝送される伝送情報が、前記データ部に配置される他の情報よりも時間的に先に抽出することが可能な領域に配置され、前記物理層フレームが、デジタル放送信号として送信される。【００１３】
本技術の第２の側面の受信装置は、デジタル放送信号として送信される、プリアンブルとデータ部を含む物理層フレームを受信する受信部と、前記物理層フレームにおいて、前記データ部に配置される他の情報よりも時間的に先に抽出することが可能な領域に配置されている、周期的に伝送される伝送情報に応じた処理を行う処理部とを備える受信装置である。【００１４】
本技術の第２の側面の受信装置は、独立した装置であってもよいし、１つの装置を構成している内部ブロックであってもよい。また、本技術の第２の側面のデータ処理方法は、上述した本技術の第２の側面の受信装置に対応するデータ処理方法である。【００１５】
本技術の第２の側面の受信装置、及び、データ処理方法においては、デジタル放送信号として送信される、プリアンブルとデータ部を含む物理層フレームが受信され、前記物理層フレームにおいて、前記データ部に配置される他の情報よりも時間的に先に抽出することが可能な領域に配置されている、周期的に伝送される伝送情報に応じた処理が行われる。
【発明の効果】
【００１６】
本技術の第１の側面、及び、第２の側面によれば、周期的に伝送される情報を効率的に伝送することができる。【００１７】
なお、ここに記載された効果は必ずしも限定されるものではなく、本開示中に記載されたいずれかの効果であってもよい。
【図面の簡単な説明】
【００１８】
【図１】本技術を適用した伝送システムの構成例を示す図である。
【図２】物理層フレームごとに１つの選局情報を送出する場合における選局情報の位置と選局時間の関係を示す図である。
【図３】物理層フレームスケジューラによる選局情報の最適な位置への配置を説明する図である。
【図４】物理層フレームスケジューラによる時刻情報の最適な位置への配置を説明する図である。
【図５】IPヘッダとUDPヘッダにおける静的な情報（SC）と動的な情報（DC）の例を示す図である。
【図６】RoHCヘッダ圧縮の概要を説明する図である。
【図７】物理層フレームスケジューラによるヘッダ圧縮情報の最適な位置への配置を説明する図である。
【図８】周期的伝送情報の伝送方式の例を示す図である。
【図９】IP伝送方式のシステムパイプモデルの例を示す図である。
【図１０】IP伝送方式の各レイヤのデータ構造を示す図である。
【図１１】PLPごとの周期的伝送情報の配置の例を示す図である。
【図１２】IP/UDPパケット伝送方式を用いた周期的伝送情報の伝送について説明する図である。
【図１３】周期的伝送情報の伝送時における各レイヤのデータ構造を示す図である。
【図１４】L2シグナリング伝送方式を用いた周期的伝送情報の伝送について説明する図である。
【図１５】パケットタイプの例を示す図である。
【図１６】L2ヘッダを説明する図である。
【図１７】L2拡張ヘッダ伝送方式を用いた周期的伝送情報の伝送について説明する図である。
【図１８】パケットタイプの例を示す図である。
【図１９】L1拡張ヘッダ伝送方式を用いた周期的伝送情報の伝送について説明する図である。
【図２０】L1拡張ヘッダ伝送方式における拡張ヘッダの詳細な構成を説明する図である。
【図２１】L1拡張ヘッダ伝送方式における拡張ヘッダの詳細な構成を説明する図である。
【図２２】L1シグナリング伝送方式を用いた周期的伝送情報の伝送について説明する図である。
【図２３】送信装置の構成例を示す図である。
【図２４】受信装置の構成例を示す図である。
【図２５】送信処理の流れを説明するフローチャートである。
【図２６】受信処理の流れを説明するフローチャートである。
【図２７】コンピュータの構成例を示す図である。
【発明を実施するための形態】
【００１９】
以下、図面を参照しながら本技術の実施の形態について説明する。なお、説明は以下の順序で行うものとする。
【００２０】
１．システムの構成
２．周期的伝送情報の概要
（１）選局情報の伝送
（２）時刻情報の伝送
（３）ヘッダ圧縮情報の伝送
３．周期的伝送情報の伝送方式
（１）IP/UDPパケット伝送方式
（２）L2シグナリング伝送方式
（３）L2拡張ヘッダ伝送方式
（４）L1拡張ヘッダ伝送方式
（５）L1シグナリング伝送方式
４．各装置の構成
５．各装置で実行される処理の流れ
６．変形例
７．コンピュータの構成
【００２１】
＜１．システムの構成＞
【００２２】
（伝送システムの構成例）
図１は、本技術を適用した伝送システムの一実施の形態の構成を示す図である。なお、システムとは、複数の装置が論理的に集合したものをいう。
【００２３】
図１において、伝送システム１は、送信装置１０と受信装置２０から構成される。この伝送システム１では、ATSC3.0等のIP伝送方式を採用したデジタル放送の規格に準拠したデータ伝送が行われる。
【００２４】
送信装置１０は、ATSC3.0等のIP伝送方式に対応した送信機であって、伝送路３０を介してコンテンツを送信する。例えば、送信装置１０は、テレビ番組等のコンテンツを構成する映像や音声等（のコンポーネント）とシグナリング情報を含む放送ストリームを、デジタル放送信号として、伝送路３０を介して送信する。
【００２５】
受信装置２０は、ATSC3.0等のIP伝送方式に対応した受信機であって、送信装置１０から伝送路３０を介して送信されてくる、コンテンツを受信して出力する。例えば、受信装置２０は、送信装置１０からのデジタル放送信号を受信して、放送ストリームに含まれる、コンテンツを構成する映像や音声等（のコンポーネント）とシグナリング情報を処理し、テレビ番組等のコンテンツの映像や音声を再生する。
【００２６】
なお、伝送システム１において、伝送路３０は、地上波（地上波放送）のほか、例えば、放送衛星（BS：Broadcasting Satellite）や通信衛星（CS：Communications Satellite）を利用した衛星放送、あるいは、ケーブルを用いた有線放送（CATV）などであってもよい。
【００２７】
＜２．周期的伝送情報の概要＞
【００２８】
ところで、ATSC3.0等のIP伝送方式のデジタル放送においては、サービス（放送局等に割り当てられたチャンネル）の選局を行うための選局情報、送信側と受信側とで同期をとるための時刻情報、及び、パケットのヘッダ情報を圧縮するためのヘッダ圧縮情報などの情報が周期的に繰り返して伝送される。そして、これらの周期的に伝送される情報（以下、周期的伝送情報という）を効率的に伝送するための提案が要請されているのは、先に述べた通りである。そこで、以下、このような要請に応えるための周期的伝送情報の伝送方式について説明する。
【００２９】
（１）選局情報の伝送
【００３０】
ATSC3.0やDVB-T2(Digital Video Broadcasting - Second Generation Terrestrial)等で用いられる物理層フレーム構造は、100〜200msの長さで構成されている。物理層フレームにおいては、プリアンブルやブートストラップを取得することではじめてそれに続くデータ部（プリアンブル）のデータを取得することが可能となる。受信装置２０においては、チューナにより所定の周波数を有するデジタル放送信号が受信されると、物理層フレームが出力されることになるが、物理層フレーム構造の途中からデータが取得された場合には、次にプリアンブルが出現するまでの間のデータは破棄されることになる。すなわち、受信装置２０におけるデータの取得タイミングが、物理層フレーム構造により制約を受けることになる。
【００３１】
ここで、受信装置２０において、デジタル放送信号で伝送されるサービスを選局するためには、選局情報を含むシグナリング情報（例えば、後述するLLS(Link Layer Signaling)シグナリング情報）を取得する必要がある。しかしながら、選局情報がどこに配置されているかの保証はなく、また、上述したように、物理層フレーム構造の途中からデータが取得された場合には、データが破棄されることになるため、破棄するデータをできるだけ少なくして、選局時間の遅延を抑制して選局処理を高速に行うことが求められる。なお、MPEG2-TS(Transport Stream)方式の場合には、サービスインフォメーション（PSI/SI）の送出間隔の最大値が定められている。
【００３２】
図２は、物理層フレームごとに１つの選局情報を送出する場合における選局情報の位置と選局時間の関係を示す図である。
【００３３】
図２の上段において、物理層フレームのデータ部の最初（先頭）に、選局情報が配置されている場合には、受信装置２０は、プリアンブルを取得後、遅延なく、直ちに選局情報を取得することが可能となる。この場合、選局情報の位置が、選局時間に影響を及ぼすことはない。また、図２の中段において、物理層フレームのデータ部の中央に、選局情報が配置されている場合には、受信装置２０は、プリアンブルを取得後、物理層フレームのフレーム長の略半分の遅延が生じた後に、選局情報を取得することが可能となる。この場合、図２の上段の場合と比べて、選局情報の位置が、選局時間に及ぼす影響は大きくなる（影響度は「中」となる）。
【００３４】
図２の下段において、物理層フレームのデータ部の最後（末尾）に、選局情報が配置されている場合には、受信装置２０は、プリアンブルを取得後、物理層フレームのフレーム長分の遅延が生じた後に、選局情報を取得することが可能となる。この場合、図２の中段の場合と比べて、選局情報の位置がさらに、選局時間に影響を及ぼすことになる（影響度は「大」となる）。すなわち、この場合、選局情報を取得するまでに略フレーム長分だけ待つ必要があり、受信装置２０では選局情報を用いてデジタル放送信号で伝送されるサービスを選局することになるため、選局情報を取得するまでの間のデータは全て破棄されることになる。
【００３５】
以上のように、物理層フレームごとに１つの選局情報を送出する場合、選局情報の位置が、物理層フレームの後方に位置するほど、破棄するデータが多くなるとともに、選局時間の遅延が大きくなることになる。
【００３６】
なお、物理層フレームごとに複数の選局情報を含めて送出した場合、１つの物理層フレーム当たりに配置される選局情報の数が増加して、選局情報の送出周期が短くなることにより、受信装置２０が選局情報を迅速に取得できるようになるため、選局時間の遅延を改善することが期待される。しかしながら、物理層フレームにおいては、選局情報が最適な位置に配置されることは保証されていないため、例えば上述した図２の上段の物理層フレームのデータ部の最初（先頭）に選局情報が配置されている場合と比べれば、選局時間への影響が残る可能性が大きくなる。
【００３７】
また、１つの物理層フレーム（のデータ部）に複数の選局情報を配置すれば、物理層フレームの全体のデータ量に占める選局情報のデータ量が増大するため、その分だけ、映像や音声のデータ量を削減しなければならないことも想定され、その場合には、例えば画質や音質の悪化など、映像や音声のデータの伝送にも影響を及ぼすことになる。また、基本的に選局情報を１つ取得できれば選局処理を行うことができるため、２つ目以降の選局情報の重要度は低下してしまう。
【００３８】
そこで、本技術を適用した物理層フレームにおいては、プリアンブルの直後であって、それに続いて伝送されるデータ部の先頭に、選局情報をマッピングして、伝送されるようにすることで、受信装置２０において、物理層フレームから迅速に選局情報が取得されるようにして、選局時間を短縮化して選局処理の高速化を実現できるようにする。
【００３９】
ここで、図３に示すように、送信装置１０（図１）においては、物理層フレームスケジューラ１２１によって、物理層フレーム構造に配置されるデータのタイミングが管理される。すなわち、物理層フレームスケジューラ１２１は、物理層に関する変調情報である物理層変調情報や、エンコーダ１２０により符号化された映像や音声のデータ（コンテンツを構成するコンポーネントのデータ）が、物理層フレームの所定の位置に配置されるように管理することができる。具体的には、物理層フレームスケジューラ１２１によって、物理層変調情報がプリアンブルに配置され、映像や音声のデータがデータ部に配置される。
【００４０】
そして、送信装置１０においては、物理層フレームスケジューラ１２１によって、選局情報が、物理層フレームのデータ部（ペイロード）の先頭に配置されるように管理する。
【００４１】
このように、物理層フレームにおいて、選局情報がプリアンブルの直後に配置されることで、受信装置２０は、プリアンブルを処理した後、データ部から、選局に必要となる選局情報を迅速に取得（抽出）することができるため、選局時間を短縮して選局処理を高速化することができる。さらに、受信装置２０においては、プリアンブルを処理した後、データ部の先頭から順にデータを抽出するという、通常の動作だけで選局情報を抽出することができるため、物理層フレームのデータ部の先頭に配置された選局情報を抽出するための回路などを新たに追加する必要はない。
【００４２】
（２）時刻情報の伝送
【００４３】
デジタル放送においては、送信側の送信装置１０と、受信側の受信装置２０とが、同期をとるために、正確な時刻情報を伝送する必要がある。この時刻情報として、現在広く普及しているMPEG2-TS方式では、PCR(Program Clock Reference)が用いられていたが、ATSC3.0等のIP伝送方式では、例えば、PTP(Precision Time Protocol)やNTP(Network Time Protocol)などの時刻情報が用いられることが想定されている。また、ここでは、うるう秒の挿入又は削除や、夏時間（サマータイム）を示す情報、さらにPTPからNTPで伝送されるUTC(協定世界時：Coordinated Universal Time)とのオフセット情報などの時刻情報に付随する情報が含まれてもよい。
【００４４】
PTPは、IEEE 1588-2008で規定されている80ビットの時刻を表す情報である。80ビットのPTPは、48ビットの秒フィールドと、32ビットのナノ秒フィールドで構成される。PTPでは、うるう秒が挿入又は削除されないため、その制御が容易になるというメリットがある。また、NTPは、ネットワークに接続される機器において、機器が持っている時計を正しい時刻へ同期するための通信プロトコルである。
【００４５】
ここで、時刻情報は、物理層フレームのプリアンブルや、UDPパケットを含むIPパケット（以下、IP/UDPパケットともいう）などのデータとして配置することができる。例えば、時刻情報がIP/UDPパケットに配置される場合、このIP/UDPパケットは、伝送パケットとしてのALP(ATSC Link-layer Protocol)パケットのペイロードに配置されて、カプセル化（encapsulation）される。
【００４６】
また、当該ALPパケット（時刻情報を含むALPパケット）を含む複数のALPパケットが、BBパケット（Baseband Packet）のペイロードに配置され、カプセル化される。さらに、複数のBBパケットをスクランブルして得られるデータがFECフレームにマッピングされ、物理層のエラー訂正用のパリティが付加される。そして、複数のFECフレームに対して、ビットインターリーブ等の物理層の処理が行われることで得られるデータが、物理層フレームのデータ部にマッピングされる。
【００４７】
このようにして、PTPやNTP等の時刻情報が、物理層フレームにマッピングされることになるが、物理層フレームにマッピングされるまでの間に、IP/UDPパケット、ALPパケット、BBパケット、及び、FECフレームと順次多重化されているため、ジッタの影響などで、時刻情報が配置される位置に誤差が生じることになる。
【００４８】
すなわち、デジタル放送においては、同期をとるための正確な時刻情報を伝送する必要があるが、IP/UDPパケットが多重化されるため（多重化が繰り返されるため）、物理層フレームの正しい位置にマッピングされる保証はなく、時刻情報に対する誤差が許容範囲を超えてしまうと、例えば、映像と音声の同期には不十分な精度となることが生じうるため、その改善が求められる。
【００４９】
そこで、本技術を適用した物理層フレームにおいては、時刻情報についても、一定の周期で伝送される物理層フレームのプリアンブルの直後であって、それに続いて伝送されるデータ部（ペイロード）の先頭にマッピングして、精度の高い時刻情報の伝送が実現されるようにする。
【００５０】
具体的には、図４に示すように、図３の選局情報の場合と同様に、送信装置１０において、物理層フレームスケジューラ１２１によって、時刻情報が、物理層フレームのデータ部の先頭に配置されるように管理する。このように、物理層フレームにおいて、時刻情報がプリアンブルの直後に配置されることで、受信装置２０では、プリアンブルを処理した後、データ部から、時刻情報を迅速に取得（抽出）することができるため、例えば、確実に、映像と音声の同期（提示同期）をとることができる。
【００５１】
ただし、伝送すべき時刻情報は、物理層フレームスケジューラ１２１が必要とする処理時間よりも十分前に予測して配置することができるため、高い精度を確保することができる。また、周期的伝送情報として、選局情報と時刻情報を伝送する場合、時刻情報のほうが、選局情報と比べて、より高い精度が要求されるため、図４に示すように、物理層フレームのデータ部の先頭の領域においては、時刻情報、選局情報の順に、周期的伝送情報を配置するのが望ましい。
【００５２】
（３）ヘッダ圧縮情報の伝送
【００５３】
IP伝送方式のデジタル放送において、IP/UDPパケットは、ヘッダに様々な情報が含まれるため、オーバーヘッドが大きい。また、IP/UDPパケットを効率的に伝送するための、IP/UDPパケットのヘッダを圧縮するための技術として、IETFによるRFC3095で規定されているRoHCがある。
【００５４】
例えば、ATSC3.0では、IP/UDPパケットのヘッダ圧縮方式として、RFC3095で規定されているRoHCの採用が決定されている。RoHCでは、IP/UDPパケットを構成するIPヘッダとUDPヘッダに配置されるヘッダ情報を、静的な情報（SC：Static Chain）と動的な情報（DC：Dynamic Chain）に分離し、静的な情報（SC）を繰り返し送らないようにしてその伝送回数を減らすことで、ヘッダ情報の圧縮を実現する方式である。
【００５５】
ここで、静的な情報（SC）とは、ヘッダ情報のうち、あらかじめ設定された内容が変化しないものや、状況を通じて一貫してその内容が維持されるものをいう。一方で、動的な情報（DC）とは、ヘッダ情報のうち、あらかじめ設定された内容が状況に応じて変化するものや、状況に合わせて選択できたりする柔軟性を持っているものをいう。
【００５６】
（静的な情報（SC）と動的な情報（DC）の例）
図５は、IPヘッダとUDPヘッダにおける静的な情報（SC）と動的な情報（DC）の例を示す図である。
【００５７】
図５のＡは、静的な情報（SC）の例を示す図である。
【００５８】
静的な情報（SC）としては、IPヘッダにおける、4ビットのVersion，1バイトのProtocol，4バイト又は16バイトのSource IP address，及び、4バイト又は16バイトのDestination IP addressが含まれる。
【００５９】
Versionは、IPのバージョンが、IPv4（IP version4）であるのか、又はIPv6（IP version6）であるのかを表す。Protocolは、IPパケット（IP/UDPパケット）のペイロードに含まれるプロトコルを表す。本実施の形態においては、IPパケット（IP/UDPパケット）のペイロードには、UDPパケットが含まれる。UDPは、17で表されるので、Protocolには、17が設定される。
【００６０】
Source IP addressは、IPパケット（IP/UDPパケット）の送信元のIPアドレスが設定される。また、Destination IP addressには、IPパケット（IP/UDPパケット）の宛先のIPアドレスが設定される。
【００６１】
なお、Source IP addressと、Destination IP addressが、4バイトの場合、Versionは、IPv4（IP version4）となる。また、Source IP addressと、Destination IP addressが、16バイトの場合、Versionは、IPv6（IP version6）となる。
【００６２】
また、静的な情報（SC）としては、UDPヘッダにおける、2バイトのSource Port number，及び、2バイトのDestination Port numberが含まれる。
【００６３】
Source Port numberは、UDPパケットの送信元のポート番号が設定される。また、Destination Port numberは、UDPパケットの宛先のポート番号が設定される。
【００６４】
図５のＢは、動的な情報（DC）の例を示す図である。
【００６５】
動的な情報（DC）としては、IPヘッダにおける、1バイトのType of Service，1バイトのTime To Live，2バイトのIdentification，及び、1バイトのFlagsが含まれる。
【００６６】
1バイトのType of Service(TOS)は、6ビットのDSCP(Differentiated Services Code Point)と2ビットのECN(Explicit Congestion Notification)から構成される。DSCPは、IPパケット（IP/UDPパケット）の優先度を表す。ECNは、IPパケット（IP/UDPパケット）の輻輳制御に用いられる。
【００６７】
Time To Live(TTL)は、IPパケット（IP/UDPパケット）の生存期間、すなわち、例えば、IPパケット（IP/UDPパケット）が通過することができるルータの数を表す。Identification，及び、Flagsは、IPパケット（IP/UDPパケット）の分割に関する情報である。
【００６８】
また、動的な情報（DC）としては、UDPヘッダにおける、2バイトのChecksumが含まれる。Checksumは、UDPパケットのエラー検出に用いられるチェックサムである。
【００６９】
（RoHCヘッダ圧縮の概要）
図６は、RoHCヘッダ圧縮の概要を説明する図である。
【００７０】
図６においては、図６のＡのIP/UDPパケットのIPヘッダとUDPヘッダを、RoHCヘッダ圧縮して、図６のＥのRoHCの伝送パケットとして伝送する場合に処理される各パケットのヘッダとペイロードを模式的に表している。
【００７１】
なお、図６において、図６のＡは、IP/UDPパケットを表し、図６のＢ乃至図６のＤは、図６のＡのIP/UDPパケットを構成する、静的な情報（SC）、動的な情報（DC）、及び、ペイロード（Payload）をそれぞれ表している。また、図６のＥは、RoHCの伝送パケット（圧縮パケット）を表している。
【００７２】
図６のＡのIP/UDPパケットのIPヘッダとUDPヘッダには、静的な情報（SC）と、動的な情報（DC）が含まれる。図６のＢの静的な情報（SC）は、同一のIPアドレスとポート番号のIP/UDPパケットで、共通のヘッダ情報であるため、例えば、静的な情報（SC）を、先頭のパケットで伝送する場合、それ以降のパケットでは、静的な情報（SC）を伝送する必要はない。
【００７３】
一方で、図６のＣの動的な情報（DC）は、同一のIPアドレスとポート番号のIP/UDPパケットで、異なるヘッダ情報であるため、例えば、先頭のパケットで、動的な情報（DC）を伝送した場合に、それ以降のパケットでも、動的な情報（DC）を伝送する必要がある。
【００７４】
すなわち、同一のIPアドレスとポート番号のIP/UDPパケットであれば、静的な情報（SC）は、１度だけ伝送すればよいので、図６のＥのRoHCの伝送パケットとしては、先頭の伝送パケット（完全な伝送パケット）のヘッダに、静的な情報（SC）と動的な情報（DC）を配置し、それ以降の伝送パケットのヘッダには、完全な伝送パケットのヘッダ情報との差分の情報として、動的な情報（DC）のみが配置されるようにする。
【００７５】
これにより、２つ目以降の伝送パケットでは、静的な情報（SC）を伝送する必要がなく、静的な情報（SC）を伝送する回数を減らすことができるため、結果として、伝送パケットのヘッダ情報を圧縮することができる。なお、受信装置２０においては、RoHCの伝送パケット（図６のＥ）に含まれる静的な情報（SC）と動的な情報（DC）を用いて、ヘッダ情報が復元されるようにすることで、IP/UDPパケット（図６のＡ）を復元することができる。
【００７６】
ここで、IP/UDPパケットのヘッダを圧縮することで、IP/UDPパケットを効率的に伝送することはできるが、静的な情報（SC）又は動的な情報（DC）を含むヘッダ圧縮情報は、周期的に繰り返し送られる情報であるため、より効率的に伝送されるようにすることが望ましい。
【００７７】
そこで、本技術を適用した物理層フレームにおいては、ヘッダ圧縮情報についても、一定の周期で伝送される物理層フレームのプリアンブルの直後であって、それに続いて伝送されるデータ部（ペイロード）の先頭にマッピングして、より効率的なヘッダ圧縮情報の伝送が実現されるようにする。
【００７８】
具体的には、図７に示すように、図３の選局情報の場合、又は、図４の時刻情報の場合と同様に、送信装置１０において、物理層フレームスケジューラ１２１によって、ヘッダ圧縮情報が、物理層フレームのデータ部の先頭に配置されるように管理する。このように、物理層フレームにおいて、ヘッダ圧縮情報がプリアンブルの直後に配置されることで、受信装置２０では、プリアンブルを処理した後、データ部から、ヘッダ圧縮情報を迅速に取得（抽出）することができるため、より効率的にIP/UDPパケットを復元することができる。
【００７９】
ただし、周期的伝送情報として、選局情報と、時刻情報と、ヘッダ圧縮情報を伝送する場合、時刻情報が、最も高い精度が要求されるため、物理層フレームのデータ部の先頭の領域においては、時刻情報を先頭に配置するのが望ましい。また、ヘッダ圧縮情報は、IP/UDPパケットを復元するために必要な情報となるため、選局情報よりも、ヘッダ圧縮情報を優先的に配置するのが望ましい。すなわち、図７に示すように、物理層フレームのデータ部の先頭の領域においては、時刻情報、ヘッダ圧縮情報、選局情報の順に、周期的伝送情報を配置するのが望ましい。
【００８０】
なお、物理層フレームのデータ部の先頭の領域においては、時刻情報、ヘッダ圧縮情報、選局情報の順に周期的伝送情報を配置するのが望ましいが、例えば、ヘッダ圧縮情報、時刻情報、選局情報の順に配置するなど、これらの周期的伝送情報の並び順は任意である。また、図６は、ヘッダ圧縮の一例であって、例えば、シグナリング情報（を配置するIP/UDPパケット）に、あらかじめ使用目的が定められたIPアドレスとポート番号（以下、ウェルノウンアドレス・ポート（well known IP address / port number）という）が割り当てられていることを利用して、静的な情報（SC）が伝送されないようにするなど、他のヘッダ圧縮方式を採用してもよい。
【００８１】
以上のように、物理層フレームのプリアンブルの直後であって、データ部の先頭の領域に、選局情報、ヘッダ圧縮情報、及び、選局情報などの周期的伝送情報を配置することで、当該周期的伝送情報を効率的に伝送することができる。
【００８２】
＜３．周期的伝送情報の伝送方式＞
【００８３】
（周期的伝送情報の伝送方式）
図８は、周期的伝送情報の伝送方式の例を示す図である。
【００８４】
図８に示すように、周期的伝送情報は、例えば、下記の（１）乃至（５）の５つの伝送方式のいずれかを用いて伝送することができる。
【００８５】
（１）IP/UDPパケット伝送方式
（２）L2シグナリング伝送方式
（３）L2拡張ヘッダ伝送方式
（４）L1拡張ヘッダ伝送方式
（５）L1シグナリング伝送方式
【００８６】
IP/UDPパケット伝送方式は、IP/UDPパケットのペイロードに、周期的伝送情報を配置して伝送する方式である。また、L2シグナリング伝送方式は、ALPパケットのペイロードに配置されるL2シグナリング情報（L2 Signaling）として、周期的伝送情報を伝送する方式である。
【００８７】
L2拡張ヘッダ伝送方式は、ALPパケットのL2拡張ヘッダ（L2 Extension Header）に、周期的伝送情報を配置して伝送する方式である。また、L1拡張ヘッダ伝送方式は、BBパケットのL1拡張ヘッダ（L1 Extension Header）に、周期的伝送情報を配置して伝送する方式である。
【００８８】
L1シグナリング伝送方式は、物理層フレームのブートストラップ又はプリアンブルに配置されるL1シグナリング情報（L1 Signaling）として、周期的伝送情報を伝送する方式である。
【００８９】
なお、L1シグナリング伝送方式の場合には、物理層フレームのデータ部の先頭に、周期的伝送情報は配置されないが、物理層フレームにおいて、データ部よりも先に処理されるブートストラップ又はプリアンブルに、周期的伝送情報が配置されることになるため、結果として、周期的伝送情報を、データ部に配置される他の情報よりも先に抽出することができる。L1シグナリング伝送方式の詳細な内容は、図２２を参照して後述する。
【００９０】
（システムパイプモデル）
図９は、IP伝送方式のシステムパイプモデルの例を示す図である。
【００９１】
図９において、所定の周波数帯域（例えば6MHz）の放送ストリーム（Broadcast Stream）には、PLP(Physical Layer Pipe)が含まれる。なお、図９の例では、放送ストリームに、１個のPLPが含まれる例を示しているが、例えば、ATSC3.0では、所定の周波数帯域ごとに、最大64個のPLPを含めることができる。
【００９２】
PLPには、IP/UDPパケットに配置される、コンポーネント（Video，Audio，CC(Closed Captioning)）と、シグナリング情報（LLS，SLS）と、時刻情報（NTP）と、電子サービスガイド（ESG：Electronic Service Guide）などのデータが含まれる。ただし、このIP/UDPパケットのIPヘッダとUDPヘッダに配置されるヘッダ情報は、圧縮されている。
【００９３】
ここで、ATSC3.0では、上位レイヤのシグナリング情報として、LLS(Link Layer Signaling)シグナリング情報と、SLS(Service Layer Signaling)シグナリング情報を用いることが想定されている。LLSシグナリング情報は、SLSシグナリング情報に先行して取得されるシグナリング情報であって、LLSシグナリング情報に含まれる情報に従い、SLSシグナリング情報が取得される。
【００９４】
このLLSシグナリング情報としては、例えば、SLT(Service List Table)やEAT(Emergency Alerting Table)，RRT(Region Rating Table)等のメタデータが含まれる。
【００９５】
SLTメタデータは、サービスの選局に必要な情報（選局情報）など、放送ネットワークにおけるストリームやサービスの構成を示す情報を含む。EATメタデータは、緊急に告知する必要がある情報である緊急情報に関する情報を含む。RRTメタデータは、視聴可能年齢などの番組のレーティングに関する情報を含む。
【００９６】
また、SLSシグナリング情報としては、サービスごとに、例えば、USBD(User Service Bundle Description)又はUSD(User Service Description)，S-TSID(Service-based Transport Session Instance Description)，MPD(Media Presentation Description)等のメタデータが含まれる。
【００９７】
USBD又はUSDメタデータは、他のメタデータの取得先などの情報を含む。S-TSIDメタデータは、LSID(LCT Session Instance Description)をATSC3.0向けに拡張したものであって、ROUTE(Real-Time Object Delivery over Unidirectional Transport)プロトコルの制御情報である。MPDメタデータは、コンポーネントのストリームの再生を管理するための制御情報である。
【００９８】
ただし、ROUTEは、バイナリファイルを一方向でマルチキャスト転送するのに適したプロトコルであるFLUTE(File Delivery over Unidirectional Transport)を拡張したプロトコルである。このROUTEセッションを利用して、映像や音声のコンポーネント、シグナリング情報などを伝送することができる。
【００９９】
なお、SLSシグナリング情報に、選局情報を含めるようにしてもよい。また、USBD，USD，S-TSID，MPD等のメタデータは、XML(Extensible Markup Language)等のマークアップ言語により記述される。また、MPDメタデータは、MPEG-DASH(Dynamic Adaptive Streaming over HTTP)の規格に準じている。
【０１００】
NTP等の時刻情報は、送信側の送信装置１０と受信側の受信装置２０とが同期をとるための情報である。なお、図９の例では、NTPを一例に示しているが、例えばPTP等の他の時刻情報を用いるようにしてもよい。
【０１０１】
ヘッダ圧縮情報は、静的な情報（SC）又は動的な情報（DC）を含む。ここでは、例えば、先頭のIP/UDPパケットで、静的な情報（SC）及び動的な情報（DC）を伝送して、それ以降のIP/UDPパケットでは、動的な情報（DC）のみを伝送することで、静的な情報（SC）を伝送する回数を減らすことができるため、結果として、IP/UDPパケットのヘッダ情報を圧縮することができる。
【０１０２】
なお、図９のシステムパイプモデルの例では、説明を分かりやすくするため、選局情報や時刻情報等の周期的伝送情報が、IP/UDPパケットに配置される場合、すなわち、IP/UDPパケット伝送方式を用いた場合を例示している。また、図９においては、LLSシグナリング情報をIP/UDPパケットで伝送する場合を示しているが、LLSシグナリング情報は、ALPパケットのペイロードに配置して、L2シグナリング情報として伝送するようにしてもよい。
【０１０３】
（各レイヤのデータ構造）
図１０は、IP伝送方式の各レイヤのデータ構造を示す図である。
【０１０４】
ATSC3.0等のIP伝送方式のデジタル放送のプロトコルスタックは、物理層としてのレイヤ１（Ｌ１）と、レイヤ１の上位の階層となるレイヤ２（Ｌ２）と、レイヤ２の上位の階層となるレイヤ３（Ｌ３）とが階層構造をなして構成される。
【０１０５】
レイヤ３では、IP/UDPパケットが伝送される。IP/UDPパケットは、IPヘッダ（IP Header）とペイロード（Payload）から構成される。IP/UDPパケットのペイロードには、映像や音声のデータ、シグナリング情報などが配置される。ただし、IP/UDPパケット伝送方式を用いる場合には、IP/UDPパケットのペイロードに、選局情報や時刻情報等の周期的伝送情報が配置される。
【０１０６】
レイヤ２では、伝送パケットとしてのALP(ATSC Link-layer Protocol)パケットが伝送される。ALPパケットは、ALPヘッダ（ALP Header）とペイロード（Payload）から構成される。ALPパケットのペイロードには、１又は複数のIP/UDPパケットが配置され、カプセル化（encapsulation）される。ただし、L2シグナリング伝送方式を用いる場合には、ALPパケットのペイロードに、選局情報や時刻情報等の周期的伝送情報が配置される。また、L2拡張ヘッダ伝送方式を用いる場合には、ALPパケットのALPヘッダの拡張ヘッダに、選局情報や時刻情報等の周期的伝送情報が配置される。
【０１０７】
レイヤ１のBBパケット（Baseband Packet）は、BBヘッダ（Baseband Packet Header）とペイロード（Payload）から構成される。BBパケットのペイロードには、１又は複数のALPパケットが配置され、カプセル化される。ただし、L1拡張ヘッダ伝送方式を用いる場合には、BBパケットのBBヘッダの拡張ヘッダに、選局情報や時刻情報等の周期的伝送情報が配置される。
【０１０８】
また、レイヤ１においては、複数のBBパケットをスクランブルして得られるデータ（Data）がFECフレーム（FEC Frame）にマッピングされ、物理層のエラー訂正用のパリティ（Parity）が付加される。
【０１０９】
ここで、レイヤ１の物理層フレーム（Physical Frame）は、ブートストラップ（BS：Bootstrap）と、プリアンブル（Preamble）と、データ部（Data）から構成される。そして、物理層フレームのデータ部には、複数のFECフレームに対して、ビットインターリーブを行った後に、マッピング処理を行い、さらに、時間方向と周波数方向にインターリーブを行うなどの物理層の処理が行われることで得られるデータがマッピングされる。
【０１１０】
ただし、L1シグナリング伝送方式を用いる場合には、物理層フレームのブートストラップ又はプリアンブルに、選局情報や時刻情報等の周期的伝送情報が配置される。なお、ブートストラップは、使用するPLPの個数に応じたブートストラップシンボルを含み、例えば、このブートストラップシンボルに、選局情報や時刻情報等の周期的伝送情報を配置することができる。
【０１１１】
（PLPごとの周期的伝送情報の伝送）
図１１は、PLPごとの周期的伝送情報の配置の例を示す図である。
【０１１２】
所定の周波数帯域（例えば6MHz）の放送ストリームには、複数のPLPを含めることができる。例えば、ATSC3.0では、所定の周波数帯域ごとに、最大64個のPLPを含めることができる。そして、これらのPLPに含まれるデータが、物理層フレームのデータ部（ペイロード）に配置されるが、選局情報、時刻情報、又はヘッダ圧縮情報などの周期的伝送情報は、基本的に、PLPごとに異なるものである。
【０１１３】
そこで、物理層フレームスケジューラ１２１は、複数のPLPが、物理層フレームに含まれる場合に、各PLPに含まれる周期的伝送情報が、各PLPの先頭に配置されるようにする。
【０１１４】
具体的には、図１１において、物理層フレームのデータ部に、PLP#1，PLP#2，・・・のデータが順に配置される場合、PLP#1のデータの先頭に、PLP#1の周期的伝送情報が配置され、PLP#2のデータの先頭に、PLP#2の周期的伝送情報が配置されるようにする。また、図示はしていないが、PLP#3以降のデータが配置される場合には、PLP#3以降のPLPについても同様に、各PLPのデータの先頭に、当該PLPの周期的伝送情報が配置されるようにする。
【０１１５】
このように、物理層フレームに、複数のPLPが含まれる場合において、各PLPのデータの先頭に、当該PLPに応じた周期的伝送情報が配置されるようにすることで、周期的に伝送される、時刻情報、ヘッダ圧縮情報、又は選局情報等の周期的伝送情報を効率的に伝送することができる。
【０１１６】
（１）IP/UDPパケット伝送方式
【０１１７】
図１２は、IP/UDPパケット伝送方式を用いた周期的伝送情報の伝送について説明する図である。
【０１１８】
このIP/UDPパケット伝送方式においては、物理層フレームのデータ部（ペイロード）に含まれる最初のBBパケットにおいて、最初のALPパケットのペイロードに、周期的伝送情報を配置したIP/UDPパケットが配置されるようにする。
【０１１９】
図１２においては、先頭のIP/UDPパケットのペイロードに、選局情報や時刻情報等の周期的伝送情報を含むシグナリング情報（例えば、LLSシグナリング情報）が配置されている。また、それ以降のIP/UDPパケットには、そのペイロードに、コンポーネントとしての映像や音声のデータなどが配置される。
【０１２０】
ただし、シグナリング情報を配置するIP/UDPパケットには、あらかじめ使用目的が定められたウェルノウンアドレス・ポート（IPアドレスとポート番号）が割り当てられている。したがって、受信装置２０は、特定のIPアドレスとポート番号を有するIP/UDPパケットを監視することで、シグナリング情報を取得することができる。
【０１２１】
図１３は、IP/UDPパケット伝送方式を用いた周期的伝送情報の伝送時における各レイヤのデータ構造を示す図である。
【０１２２】
図１３において、レイヤ３のIP/UDPパケットに注目すれば、先頭のIP/UDPパケットでは、そのペイロードに、選局情報や時刻情報などの周期的伝送情報５０が配置され、その次のIP/UDPパケットでは、映像や音声等のコンポーネント、又は、電子サービスガイドなどのデータ（周期的伝送情報以外のデータ）が配置される。また、それ以降のIP/UDPパケットについても、周期的伝送情報以外のデータが配置される。そして、これらのIP/UDPパケットは、レイヤ２のALPパケットに配置される。
【０１２３】
レイヤ１において、BBパケットのペイロードには、１又は複数のALPパケットが配置され、カプセル化される。また、レイヤ１においては、複数のBBパケットをスクランブルして得られるデータがFECフレームにマッピングされ、パリティが付加される。そして、複数のFECフレームに対して、ビットインターリーブを行った後に、マッピング処理を行い、さらに、時間方向と周波数方向にインターリーブを行うなどの物理層の処理が行われることで得られるデータが、レイヤ１の物理層フレームのデータ部にマッピングされる。
【０１２４】
このとき、物理層フレームスケジューラ１２１によって、選局情報や時刻情報などを含む周期的伝送情報５０が、物理層フレームのデータ部（ペイロード）の先頭に配置されるように処理され、レイヤ１の物理層フレームにおいては、プリアンブルの直後であって、データ部の先頭に、周期的伝送情報５０が配置される。
【０１２５】
以上のように、周期的伝送情報を伝送するための伝送フォーマットとして、IP/UDPパケット伝送方式を利用して、物理層フレームの最初のBBパケットにおいて、最初のALSパケットのペイロードに、周期的伝送情報を含むIP/UDPパケットが配置されるようにすることで、周期的伝送情報を、物理層フレームのデータ部の先頭（プリアンブルの直後）に配置して伝送することが可能となる。すなわち、物理層フレームにおいて、周期的伝送情報を、データ部に配置される他の情報よりも時間的に先に抽出することが可能な領域に配置することができる。
【０１２６】
なお、IP/UDPパケット伝送方式を用いる場合、IP/UDPパケットのペイロードに、IPヘッダやUDPヘッダに関するヘッダ圧縮情報を配置してしまうと、IP/UDPパケットを復元することができなくなる場合があるので、その場合には、IP/UDPパケットのペイロードに配置される周期的伝送情報に、ヘッダ圧縮情報を含めないようにすればよい。
【０１２７】
（２）L2シグナリング伝送方式
【０１２８】
図１４は、L2シグナリング伝送方式を用いた周期的伝送情報の伝送について説明する図である。
【０１２９】
このL2シグナリング伝送方式では、物理層フレームのデータ部（ペイロード）に含まれる最初のBBパケットにおいて、最初のALPパケットのペイロードに、L2シグナリング情報として周期的伝送情報が配置されるようにする。
【０１３０】
図１４は、ALPパケットの構成を示している。図１４のALPパケットにおいて、ALPヘッダの先頭には、3ビットのタイプ情報（Type）が設定される。このタイプ情報は、図１５に示すように、ALPパケットのペイロードに配置されるデータのタイプに関する情報が設定される。
【０１３１】
すなわち、ペイロードにIPv4のIPパケット（IP/UDPパケット）が配置される場合、タイプ情報は、"000"が設定される。また、ペイロードに、圧縮されたIPパケット（IP/UDPパケット）が配置される場合、タイプ情報は、"001"が設定される。さらに、ペイロードに、MPEG2-TS方式のTSパケットが配置される場合、タイプ情報は、"010"が設定される。
【０１３２】
また、ペイロードに、L2シグナリング情報が配置される場合には、タイプ情報は、"100"が設定される。なお、図１５において、"011"，"101"，"110"のタイプ情報は、未定義（Reserved）となっている。また、３つの未定義（Reserved）の領域による拡張では不足している場合には、所定の領域からなるタイプ情報を拡張するために、"111"が設定される。
【０１３３】
図１４の説明に戻り、L2シグナリング伝送方式では、ペイロードにL2シグナリング情報が配置されるため、ALPヘッダのタイプ情報には、"100"が設定されている。また、ALPヘッダにおいて、"100"が設定されたタイプ情報の次は、1ビットのリザーブド領域（Res：Reserved）とされ、その次に、ヘッダモード（HM：Header Mode）が配置される。
【０１３４】
ヘッダモードとして、"0"が設定された場合、それに続いて、11ビットのレングス情報（Length（LSB））が配置される。このレングス情報は、ALPパケットのペイロードの長さに設定される。一方、ヘッダモードとして、"1"が設定された場合、それに続いて、11ビットのレングス情報（Length（LSB））と、5ビットのレングス情報（Length（MSB））の合計16ビットのレングス情報が配置され、さらに、3ビットのリザーブド領域（Res）が設けられる。
【０１３５】
すなわち、ヘッダモードとして"0"が設定された場合、レングス情報（Length（LSB））は、11ビットであるため、ALPパケットのペイロードの長さとして、0〜2047（=211-1）バイトの範囲の値を表すことができる。しかしながら、11ビットのレングス情報では、2048バイト以上のペイロードの長さを表すことができない。そこで、ペイロードに、2048バイト以上のデータが配置される場合には、ヘッダモードとして"1"を設定し、ALPヘッダの領域として1バイトが追加されるようにすることで、2048バイト以上のペイロードの長さを表すことができるようにする。
【０１３６】
ALPパケットにおいては、以上のように構成されるALPヘッダに続いて、ペイロードが配置される。ここでは、ALPヘッダのタイプ情報として、"100"が設定されているため、ペイロードには、L2シグナリング情報が配置される。そして、L2シグナリング伝送方式では、このL2シグナリング情報として周期的伝送情報が配置されることになる。ただし、上述したように、この周期的伝送情報を含むL2シグナリング情報が、ペイロードに配置されたALPパケットは、物理層フレームの最初のBBパケットにおける最初のALPパケットに相当している。
【０１３７】
ここで、図１６を参照して、ALPパケットのペイロードに配置されるL2シグナリング情報（周期的伝送情報）に付加されるL2ヘッダについて説明する。図１６に示すように、L2ヘッダには、L2インデックス情報（L2 Index）とオブジェクトバージョン情報（Object Version）からなる構造体を配置することができる。なお、受信装置２０では、このL2ヘッダに含まれる情報を用いたフィルタリング処理を行うことで、所望のパケットを抽出することができる。
【０１３８】
L2インデックス情報には、圧縮情報（Compression Scheme）、タイプ情報（Fragment Type）、及び、拡張タイプ情報（Type Extension）が配置される。圧縮情報には、対象のL2シグナリング情報（周期的伝送情報）の圧縮の有無を示す情報が設定される。例えば、圧縮情報として、"0000"が設定された場合には、非圧縮であることを示し、"0001"が設定された場合には、zip形式で圧縮されていることを示している。
【０１３９】
タイプ情報（Fragment Type）には、対象のL2シグナリング情報（周期的伝送情報）のタイプに関する情報が設定される。例えば、選局情報には"000000"を設定することができる。例えば、選局情報は、LLSシグナリング情報に含まれるので、その場合に、タイプ情報として"000000"が設定されたときには、ALPパケットのペイロードに、LLSシグナリング情報が配置されていることを意味する。また、時刻情報には、"000100"が設定され、ヘッダ圧縮情報には、"000101"が設定されるようにすることができる。
【０１４０】
拡張タイプ情報には、タイプごとに拡張パラメータが設定される。例えば、拡張タイプ情報としては、タイプ情報として、"000100"が設定された場合に、時刻情報に関する時差情報（Offset）や、夏時間に関するサマータイム情報を設定することができる。また、オブジェクトバージョン情報には、オブジェクトのバージョンに関する情報が配置される。
【０１４１】
以上のように、周期的伝送情報を伝送するための伝送フォーマットとして、L2シグナリング伝送方式を利用して、物理層フレームの最初のBBパケットにおいて、最初のALSパケットのペイロードに、周期的伝送情報を含むL2シグナリング情報が配置されるようにすることで、周期的伝送情報を、物理層フレームのデータ部の先頭（プリアンブルの直後）に配置して伝送することが可能となる。すなわち、物理層フレームにおいて、周期的伝送情報を、データ部に配置される他の情報よりも時間的に先に抽出することが可能な領域に配置することができる。
【０１４２】
（３）L2拡張ヘッダ伝送方式
【０１４３】
図１７は、L2拡張ヘッダ伝送方式を用いた周期的伝送情報の伝送について説明する図である。
【０１４４】
このL2拡張ヘッダ伝送方式においては、物理層フレームの最初のBBパケットにおいて、最初のALPパケットの拡張ヘッダに、周期的伝送情報が配置されるようにする。
【０１４５】
図１７は、ALPパケットの構成を示している。図１７のALPヘッダにおいて、3ビットのタイプ情報には、"000"，"001"，又は"010"が設定される。すなわち、図１８に示すように、タイプ情報として、"000"が設定された場合、ペイロードには、IPv4のIPパケット（IP/UDPパケット）が配置され、"001"が設定された場合、ペイロードには、圧縮されたIPパケット（IP/UDPパケット）が配置される。また、タイプ情報として、"010"が設定された場合、ペイロードには、TSパケットが配置される。
【０１４６】
なお、ここでは、L2拡張ヘッダ伝送方式において、タイプ情報として、"000"，"001"，又は"010"が設定されるとして説明するが、タイプ情報に、"100"を設定して、ペイロードに、L2シグナリング情報が配置されるようにしてもよい。
【０１４７】
ALPヘッダにおいて、"000"，"001"，又は"010"が設定されたタイプ情報の次には、1ビットのパケット設定情報（PC：Packet Configuration）が配置される。パケット設定情報として、"0"が設定された場合、ALPヘッダはノーマルモード（Normal mode）となって、その次に配置されるヘッダモード（HM）に応じて、レングス情報（Length）が配置される。そして、ALPヘッダに続くペイロードには、ALPヘッダのタイプ情報に応じて、IPv4のIPパケット（IP/UDPパケット）、圧縮されたIPパケット（IP/UDPパケット）、又はTSパケットが配置される。
【０１４８】
一方、パケット設定情報（PC）として、"1"が設定された場合には、ALPヘッダはシグナリングモード（Signaling mode）となって、その次に配置されるヘッダモード（HM）に応じて、レングス情報（Length）が配置される。すなわち、ヘッダモードとして、"0"が設定された場合、それに続いて、11ビットのレングス情報（Length（LSB））が配置される。また、シグナリングモードが設定されている場合には、ALPヘッダが拡張されて、レングス情報の次に、L2シグナリング情報（Signaling）が配置される。
【０１４９】
そして、L2拡張ヘッダ伝送方式では、この拡張ヘッダ（L2拡張ヘッダ）に配置されるL2シグナリング情報として、周期的伝送情報が配置されることになる。なお、以上のように構成されるALPヘッダ（L2拡張ヘッダ）に続いて、ペイロードが配置される。このペイロードには、ALPヘッダのタイプ情報に応じて、IPv4や圧縮されたIPパケット（IP/UDPパケット）等が配置される。ただし、上述したように、この周期的伝送情報を含むL2シグナリング情報が、ALPパケットの拡張ヘッダ（L2拡張ヘッダ）に配置されたALPパケットは、物理層フレームの最初のBBパケットにおける最初のALPパケットに相当している。
【０１５０】
また、パケット設定情報（PC）として"1"が設定された場合に、ヘッダモード（HM）として"1"が設定されているときには、ヘッダモードに続いて、16ビットのレングス情報（Length）と3ビットのリザーブド領域（Res）が配置される。また、シグナリングモードが設定されている場合には、ALPヘッダが拡張されて、リザーブド領域（Res）の次に、L2シグナリング情報（Signaling）が配置される。そして、上述した"0"であるヘッダモードが設定された場合と同様に、この拡張ヘッダ（L2拡張ヘッダ）に配置されるL2シグナリング情報として、周期的伝送情報が配置されることになる。
【０１５１】
なお、ALPパケットにおいては、この周期的伝送情報を含むL2シグナリング情報が配置された拡張ヘッダ（L2拡張ヘッダ）に続いて、ペイロードに、IPv4や圧縮されたIPパケット（IP/UDPパケット）等が配置されるが、上述したように、このALPパケットは、物理層フレームの最初のBBパケットにおける最初のALPパケットに相当している。
【０１５２】
以上のように、周期的伝送情報を伝送するための伝送フォーマットとして、L2拡張ヘッダ伝送方式を利用して、物理層フレームの最初のBBパケットにおいて、最初のALPパケットの拡張ヘッダ（L2拡張ヘッダ）に、周期的伝送情報が配置されるようにすることで、周期的伝送情報を、物理層フレームのデータ部の先頭（プリアンブルの直後）に配置して伝送することが可能となる。すなわち、物理層フレームにおいて、周期的伝送情報を、データ部に配置される他の情報よりも時間的に先に抽出することが可能な領域に配置することができる。
【０１５３】
（４）L1拡張ヘッダ伝送方式
【０１５４】
図１９は、L1拡張ヘッダ伝送方式を用いた周期的伝送情報の伝送について説明する図である。
【０１５５】
このL1拡張ヘッダ伝送方式においては、物理層フレームの最初のBBパケットの拡張ヘッダに、周期的伝送情報が配置されるようにする。
【０１５６】
図１９は、BBパケットの構成を示している。図１９において、BBパケットは、BBパケットヘッダとペイロード（Payload）から構成される。BBパケットヘッダには、1又は2バイトのヘッダ（Header）のほか、オプショナルフィールド（Optional Field）と、拡張フィールド（Extension Field）を配置することができる。
【０１５７】
すなわち、ヘッダ（Header）において、1ビットのモード（MODE）として、"0"が設定された場合には、7ビットのポインタ情報（Pointer(LSB)）が配置される。なお、ポインタ情報は、BBパケットのペイロードに配置されるALPパケットの位置を示すための情報である。例えば、あるBBパケットに最後に配置されたALPパケットのデータが、次のBBパケットにまたがって配置される場合に、ポインタ情報として、次のBBパケットの先頭に配置されるALPパケットの位置情報を設定することができる。
【０１５８】
また、モード（MODE）として、"1"が設定された場合には、7ビットのポインタ情報（Pointer(LSB)）と、6ビットのポインタ情報（Pointer(MSB)）と、2ビットのオプショナルフラグ（OPTI：OPTIONAL）が配置される。オプショナルフラグは、オプショナルフィールド（Optional Field）と、拡張フィールド（Extension Field）を配置して、ヘッダを拡張するかどうかを示す情報である。
【０１５９】
すなわち、図２０に示すように、オプショナルフィールドと拡張フィールドの拡張を行わない場合、オプショナルフラグは、"00"が設定される。また、オプショナルフィールドの拡張のみを行う場合、オプショナルフラグは、"01"又は"10"が設定される。なお、オプショナルフラグとして"01"が設定された場合、オプショナルフィールドには、1バイト(8ビット)のパディングが行われる。また、オプショナルフラグとして"10"が設定された場合、オプショナルフィールドには、2バイト(16ビット)のパディングが行われる。
【０１６０】
また、オプショナルフィールドと拡張フィールドの拡張を行う場合、オプショナルフラグは、"11"が設定される。この場合、オプショナルフィールドの先頭には、3ビットの拡張タイプ情報（TYPE（EXT_TYPE））が設定される。このタイプ情報は、図２１に示すように、拡張タイプ情報の次に配置される拡張レングス情報（EXT_Length(LSB)）と拡張フィールドのタイプ（Extension type）に関する情報が設定される。
【０１６１】
すなわち、拡張レングス情報を配置し、スタッフィングバイト（Stuffing Bytes）のみが配置される場合、拡張タイプ情報は、"000"が設定される。また、拡張レングス情報を配置せずに、拡張フィールドに、ISSY（Input Stream Synchronizer）が配置される場合、拡張タイプ情報は、"001"が設定される。さらに、拡張レングス情報を配置し、拡張フィールドに、ISSYとともに、スタッフィングバイトが配置される場合、拡張タイプ情報は、"010"が設定される。
【０１６２】
また、拡張レングス情報を配置し、拡張フィールドに、L1シグナリング情報が配置される場合、拡張タイプ情報は、"011"が設定される。この場合、スタッフィングバイトを配置するかどうかは任意である。なお、図２１において、"100"〜"111"の拡張タイプ情報は、未定義（Reserved）となっている。
【０１６３】
そして、L1拡張ヘッダ伝送方式では、この拡張フィールド（L1拡張ヘッダ）のL1シグナリング情報として、周期的伝送情報が配置されることになる。すなわち、L1拡張ヘッダ伝送方式が利用される場合、オプショナルフラグ（OPTI）として"11"が設定されて、オプショナルフィールドと拡張フィールドの拡張が行われ、さらにオプショナルフィールドの拡張タイプ情報（EXT_TYPE）として"011"が設定されて、拡張フィールドに、L1シグナリング情報としての周期的伝送情報が配置されることになる。ただし、上述したように、このL1シグナリング情報（周期的伝送情報）が拡張ヘッダ（L1拡張ヘッダ）に配置されたBBパケットは、物理層フレームの最初のBBパケットに相当している。
【０１６４】
以上のように、周期的伝送情報を伝送するための伝送フォーマットとして、L1拡張ヘッダ伝送方式を利用して、物理層フレームの最初のBBパケットの拡張ヘッダ（L1拡張ヘッダ）に、周期的伝送情報が配置されるようにすることで、周期的伝送情報を、物理層フレームのデータ部の先頭（プリアンブルの直後）に配置して伝送することが可能となる。すなわち、物理層フレームにおいて、周期的伝送情報を、データ部に配置される他の情報よりも時間的に先に抽出することが可能な領域に配置することができる。
【０１６５】
（５）L1シグナリング伝送方式
【０１６６】
図２２は、L1シグナリング伝送方式を用いた周期的伝送情報の伝送について説明する図である。
【０１６７】
このL1シグナリング伝送方式においては、物理層フレームのブートストラップ又はプリアンブルに、周期的伝送情報が配置されるようにする。
【０１６８】
ただし、L1シグナリング伝送方式では、上述した他の伝送方式とは異なり、物理層フレームのデータ部の先頭（プリアンブルの直後）に、周期的伝送情報を配置するのではなく、ブートストラップ又はプリアンブルに、L1シグナリング情報としての周期的伝送情報が配置されることになる。
【０１６９】
しかしながら、この場合でも、物理層フレームにおいて、データ部よりも先に処理されるブートストラップ又はプリアンブルに、周期的伝送情報が配置されることになるため、結果として、受信装置２０では、周期的伝送情報を、データ部に配置される他の情報よりも先に抽出することができる。
【０１７０】
以上のように、周期的伝送情報を伝送するための伝送フォーマットとして、L1シグナリング伝送方式を利用して、物理層フレームのブートストラップ又はプリアンブルに、周期的伝送情報が配置されるようにすることで、物理層フレームにおいて、周期的伝送情報を、データ部に配置される他の情報よりも時間的に先に抽出することが可能な領域に配置することができる。
【０１７１】
以上、周期的伝送情報の伝送方式として、５つの伝送方式について説明した。
【０１７２】
なお、上述した説明では、IP/UDPパケット伝送方式、L2シグナリング伝送方式、L2拡張ヘッダ伝送方式、又はL1拡張ヘッダ伝送方式を用いて、周期的伝送情報を、物理層フレームのデータ部の先頭（プリアンブルの直後）に配置して伝送する場合と、L1シグナリング伝送方式を用いて、周期的伝送情報を、物理層フレームのブートストラップ又はプリアンブルに配置して伝送する場合について説明したが、これらの５つの伝送方式以外の方式によって、周期的伝送情報を伝送することも可能である。要は、物理層フレームにおいて、周期的伝送情報が、データ部に配置される他の情報よりも時間的に先に抽出することが可能な領域に配置されればよいのであって、上述した５つの伝送方式以外の伝送方式によって、周期的伝送情報が、当該領域に配置されるようにしてもよい。
【０１７３】
また、上述した説明では、周期的伝送情報としての、選局情報、時刻情報、及び、ヘッダ圧縮情報の全ての情報が、データ部に配置される他の情報よりも時間的に先に抽出することが可能な領域に配置される場合を説明したが、当該領域には、周期的伝送情報のうちの少なくとも１つの情報が配置されればよい。さらに、上述した説明では、周期的伝送情報として、時刻情報、ヘッダ圧縮情報、及び、選局情報について述べたが、物理層フレームのデータ部の先頭（プリアンブルの直後）や、ブートストラップ又はプリアンブルに配置することで何らかの効果が得られる、他の情報が配置されるようにしてもよい。
【０１７４】
さらに、周期的伝送情報として複数の情報を伝送する場合に、複数の情報が異なる伝送方式で伝送されるようにしてもよい。具体的には、例えば、周期的伝送情報として、選局情報と時刻情報が伝送される場合に、選局情報を、IP/UDPパケット伝送方式により伝送する一方で、時刻情報を、L1シグナリング伝送方式により伝送するといったことも可能である。
【０１７５】
＜４．各装置の構成＞
【０１７６】
次に、図１の伝送システム１を構成する、送信装置１０と受信装置２０の詳細な構成を説明する。
【０１７７】
（送信装置の構成）
図２３は、図１の送信装置１０の構成例を示す図である。
【０１７８】
図２３において、送信装置１０は、物理層変調情報取得部１１１、物理層変調情報処理部１１２、選局情報取得部１１３、選局情報処理部１１４、時刻情報取得部１１５、時刻情報処理部１１６、ヘッダ圧縮情報取得部１１７、ヘッダ圧縮情報処理部１１８、コンポーネント取得部１１９、エンコーダ１２０、物理層フレームスケジューラ１２１、物理層フレーム生成部１２２、及び、送信部１２３から構成される。
【０１７９】
物理層変調情報取得部１１１は、物理層変調情報を取得（生成）して、物理層変調情報処理部１１２に供給する。物理層変調情報処理部１１２は、物理層変調情報取得部１１１から供給される物理層変調情報を処理し、物理層フレームスケジューラ１２１に供給する。なお、物理層変調情報としては、例えば、ATSC3.0に準拠したL1シグナリング情報などが用いられる。
【０１８０】
選局情報取得部１１３は、選局情報を取得（生成）して、選局情報処理部１１４に供給する。選局情報処理部１１４は、選局情報取得部１１３から供給される選局情報を処理し、物理層フレームスケジューラ１２１に供給する。なお、選局情報としては、例えば、LLSシグナリング情報としてのSLTメタデータが用いられる。
【０１８１】
時刻情報取得部１１５は、時刻情報を取得（生成）し、時刻情報処理部１１６に供給する。時刻情報処理部１１６は、時刻情報取得部１１５から供給される時刻情報を処理し、物理層フレームスケジューラ１２１に供給する。なお、時刻情報としては、例えば、PTPやNTPで規定された時刻の情報が用いられる。
【０１８２】
ヘッダ圧縮情報取得部１１７は、ヘッダ圧縮情報を取得（生成）して、ヘッダ圧縮情報処理部１１８に供給する。ヘッダ圧縮情報処理部１１８は、ヘッダ圧縮情報取得部１１７から供給されるヘッダ圧縮情報を処理し、物理層フレームスケジューラ１２１に供給する。なお、ヘッダ圧縮情報としては、静的な情報（SC）又は動的な情報（DC）が含まれる。
【０１８３】
コンポーネント取得部１１９は、コンテンツ（例えばテレビ番組）を構成するコンポーネントとしての映像や音声のデータを取得し、エンコーダ１２０に供給する。エンコーダ１２０は、コンポーネント取得部１１９から供給される映像や音声のデータを、所定の符号化方式に応じて符号化し、コンポーネントのストリームとして、物理層フレームスケジューラ１２１に供給する。
【０１８４】
なお、コンポーネントとしては、例えば、既に収録されたコンテンツの保管場所から、放送時間帯に応じて該当するコンテンツが取得されたり、あるいはスタジオやロケーション場所からライブのコンテンツが取得されたりする。
【０１８５】
物理層変調情報処理部１１２からの物理層変調情報と、選局情報処理部１１４からの選局情報と、時刻情報処理部１１６からの時刻情報と、ヘッダ圧縮情報処理部１１８からのヘッダ圧縮情報と、エンコーダ１２０からのコンポーネントのストリームは、物理層フレームスケジューラ１２１を介して、物理層フレーム生成部１２２に供給される。
【０１８６】
物理層フレーム生成部１２２は、物理層変調情報、選局情報、ヘッダ圧縮情報、時刻情報、及び、コンポーネントのストリームなどのデータを含む物理層フレーム（例えば、ATSC3.0に準拠した物理層フレーム）を生成し、送信部１２３に供給する。なお、物理層変調情報は、物理層フレームのプリアンブルに配置される。また、映像や音声等のデータは、物理層フレームのデータ部に配置される。
【０１８７】
ただし、物理層フレーム生成部１２２は、物理層フレームを生成するに際し、物理層フレームスケジューラ１２１による管理に従い、物理層フレームにおいて、選局情報、時刻情報、及び、ヘッダ圧縮情報を含む周期的伝送情報が、データ部の先頭（プリアンブルの直後）、又はブートストラップ若しくはプリアンブルに配置されるように、物理層フレームを生成することになる。具体的には、上述した５つの伝送方式に応じて、以下の５パターンの処理が行われる。
【０１８８】
第１に、物理層フレームスケジューラ１２１は、IP/UDPパケット伝送方式を用いる場合、物理層フレーム生成部１２２を制御して、物理層フレームの最初のBBパケットにおいて、最初のALSパケットのペイロードに、周期的伝送情報を含むIP/UDPパケットが配置されるようにすることで、周期的伝送情報が、物理層フレームのデータ部（ペイロード）の先頭（プリアンブルの直後）に配置されるようにする。
【０１８９】
第２に、物理層フレームスケジューラ１２１は、L2シグナリング伝送方式を用いる場合、物理層フレームの最初のBBパケットにおいて、最初のALSパケットのペイロードに、周期的伝送情報を含むL2シグナリング情報が配置されるようにすることで、周期的伝送情報が、物理層フレームのデータ部（ペイロード）の先頭（プリアンブルの直後）に配置されるようにする。
【０１９０】
第３に、物理層フレームスケジューラ１２１は、L2拡張ヘッダ伝送方式を用いる場合、物理層フレームの最初のBBパケットにおいて、最初のALPパケットの拡張ヘッダ（L2拡張ヘッダ）に、周期的伝送情報が配置されるようにすることで、周期的伝送情報が、物理層フレームのデータ部（ペイロード）の先頭（プリアンブルの直後）に配置されるようにする。
【０１９１】
第４に、物理層フレームスケジューラ１２１は、L1拡張ヘッダ伝送方式を用いる場合、物理層フレームの最初のBBパケットの拡張ヘッダ（L1拡張ヘッダ）に、周期的伝送情報が配置されるようにすることで、周期的伝送情報が、物理層フレームのデータ部（ペイロード）の先頭（プリアンブルの直後）に配置されるようにする。
【０１９２】
第５に、物理層フレームスケジューラ１２１は、L1シグナリング伝送方式を用いる場合、物理層フレームのブートストラップ又はプリアンブルに、周期的伝送情報が配置されるようにする。
【０１９３】
送信部１２３は、物理層フレーム生成部１２２により生成された物理層フレームを、アンテナ１３１を介して、デジタル放送信号として送信する。
【０１９４】
送信装置１０は、以上のように構成される。なお、図２３の送信装置１０において、すべての機能ブロックが、物理的に単一の装置内に配置される必要はなく、少なくとも一部の機能ブロックが、他の機能ブロックとは物理的に独立した装置として構成されるようにしてもよい。
【０１９５】
（受信装置の構成）
図２４は、図１の受信装置２０の構成例を示す図である。
【０１９６】
図２４において、受信装置２０は、制御部２１１、受信部２１２、復調部２１３、処理部２１４、及び、出力部２１５から構成される。
【０１９７】
制御部２１１は、受信装置２０の各部の動作を制御する。
【０１９８】
受信部２１２は、アンテナ２３１を介してデジタル放送信号を受信して、RF(Radio Frequency)信号を、IF(Intermediate Frequency)信号に周波数変換し、復調部２１３に供給する。なお、受信部２１２は、例えば、RF ICとして構成される。
【０１９９】
復調部２１３は、受信部２１２から供給される信号であって、デジタル放送信号として受信される物理フレーム（例えば、ATSC3.0に準拠した物理層フレーム）に対する復調処理を行う。また、復調部２１３は、復調処理で得られる復調信号に対して、誤り訂正処理を施し、その処理の結果得られる信号を、処理部２１４に供給する。なお、復調部２１３は、例えば、復調LSI(Large Scale Integration)として構成される。
【０２００】
ここで、復調部２１３においては、復調処理を行うに際し、物理層フレームにおいて、データ部の先頭（プリアンブルの直後）、又はブートストラップ若しくはプリアンブルに配置された周期的伝送情報が取得（抽出）され、処理されることになる。具体的には、上述した５つの伝送方式に応じて、以下の５パターンの処理が行われる。
【０２０１】
第１に、復調部２１３は、IP/UDPパケット伝送方式を用いる場合、物理層フレームの最初のBBパケットにおいて、最初のALSパケットのペイロードに配置される、周期的伝送情報を含むIP/UDPパケットが抽出されることで、物理層フレームのデータ部（ペイロード）の先頭（プリアンブルの直後）から周期的伝送情報が抽出されることになる。
【０２０２】
第２に、復調部２１３は、L2シグナリング伝送方式を用いる場合、物理層フレームの最初のBBパケットにおいて、最初のALSパケットのペイロードに配置される、周期的伝送情報を含むL2シグナリング情報が抽出されることで、物理層フレームのデータ部（ペイロード）の先頭（プリアンブルの直後）から周期的伝送情報が抽出されることになる。
【０２０３】
第３に、復調部２１３は、L2拡張ヘッダ伝送方式を用いる場合、物理層フレームの最初のBBパケットにおいて、最初のALPパケットの拡張ヘッダ（L2拡張ヘッダ）に配置される、周期的伝送情報が抽出されることで、物理層フレームのデータ部（ペイロード）の先頭（プリアンブルの直後）から周期的伝送情報が抽出されることになる。
【０２０４】
第４に、復調部２１３は、L1拡張ヘッダ伝送方式を用いる場合、物理層フレームの最初のBBパケットの拡張ヘッダ（L1拡張ヘッダ）に配置される、周期的伝送情報が抽出されることで、物理層フレームのデータ部（ペイロード）の先頭（プリアンブルの直後）から周期的伝送情報が抽出されることになる。
【０２０５】
第５に、復調部２１３は、L1シグナリング伝送方式を用いる場合、物理層フレームのブートストラップ又はプリアンブルから、周期的伝送情報が抽出されることになる。
【０２０６】
処理部２１４は、復調部２１３から供給される信号に対する処理（例えば復号処理など）を行い、その処理の結果得られる映像や音声のデータを、出力部２１５に供給する。また、処理部２１４（又は制御部２１１）は、復調部２１３によって、選局情報、時刻情報、又はヘッダ圧縮情報などの周期的伝送情報が抽出された場合、当該周期的伝送情報に応じた処理を行う。なお、処理部２１４は、例えば、メインSoC(System on Chip)として構成される。
【０２０７】
出力部２１５は、例えば、表示部やスピーカなどから構成される。表示部は、処理部２１４から供給される映像データに応じた映像を表示する。また、スピーカは、処理部２１４から供給される音声データに応じた音声を出力する。なお、出力部２１５は、処理部２１４から供給される映像や音声のデータを、外部の機器に出力するようにしてもよい。
【０２０８】
受信装置２０は、以上のように構成される。なお、受信装置２０は、テレビ受像機、セットトップボックス（STB：Set Top Box）、又は、録画機などの固定受信機のほか、携帯電話機、スマートフォン、又はタブレット端末などのモバイル受信機であってもよい。また、受信装置２０は、車両に搭載される車載機器でもよい。
【０２０９】
＜５．各装置で実行される処理の流れ＞
【０２１０】
次に、図２５乃至図２６のフローチャートを参照して、図１の伝送システム１を構成する各装置で実行される処理の流れについて説明する。
【０２１１】
（送信処理）
まず、図２５のフローチャートを参照して、図１の送信装置１０により実行される送信処理の流れを説明する。
【０２１２】
ステップＳ１０１においては、データ処理が行われる。このデータ処理では、物理層変調情報取得部１１１及び物理層変調情報処理部１１２によって、物理層変調情報が処理される。
【０２１３】
また、このデータ処理においては、選局情報取得部１１３及び選局情報処理部１１４による選局情報に関する処理と、時刻情報取得部１１５及び時刻情報処理部１１６による時刻情報に関する処理と、ヘッダ圧縮情報取得部１１７及びヘッダ圧縮情報処理部１１８によるヘッダ圧縮情報に関する処理と、コンポーネント取得部１１９及びエンコーダ１２０によるコンポーネントに関する処理が行われる。
【０２１４】
ステップＳ１０２において、物理層フレームスケジューラ１２１は、物理層フレーム生成部１２２を制御して、物理層フレームのスケジューリング処理を行う。
【０２１５】
ステップＳ１０３において、物理層フレーム生成部１２２は、ステップＳ１０２の処理（物理層フレームスケジューラ１２１からの制御）に従い、上述した５つの伝送方式（IP/UDPパケット伝送方式、L2シグナリング伝送方式、L2拡張ヘッダ伝送方式、L1拡張ヘッダ伝送方式、又は、L1シグナリング伝送方式）に応じて、物理層フレームを生成する。この物理層フレームにおいては、選局情報、時刻情報、及び、ヘッダ圧縮情報を含む周期的伝送情報が、データ部の先頭（プリアンブルの直後）、又はブートストラップ若しくはプリアンブルに配置されることになる。
【０２１６】
ステップＳ１０４において、送信部１２３は、ステップＳ１０３の処理で生成された物理層フレームを、アンテナ１３１を介して、デジタル放送信号として送信する。ステップＳ１０４の処理が終了すると、図２５の送信処理は終了される。
【０２１７】
以上、送信処理の流れについて説明した。この送信処理においては、IP/UDPパケット伝送方式、L2シグナリング伝送方式、L2拡張ヘッダ伝送方式、L1拡張ヘッダ伝送方式、又は、L1シグナリング伝送方式のいずれかの方式によって、物理層フレームにおいて、周期的伝送情報が、データ部の先頭（プリアンブルの直後）、又はブートストラップ若しくはプリアンブルに配置されるように、物理層フレームが生成され、デジタル放送信号として送信されることになる。
【０２１８】
（受信処理）
次に、図２６のフローチャートを参照して、図１の受信装置２０により実行される受信処理の流れを説明する。
【０２１９】
ステップＳ２０１において、受信部２１２は、アンテナ２３１を介して、送信装置１０から伝送路３０を介して送信されてくるデジタル放送信号を受信する。
【０２２０】
ステップＳ２０２において、復調部２１３は、ステップＳ２０１の処理で、デジタル放送信号として受信される物理層フレームに対する復調処理を行う。この復調処理では、例えば、物理層変調情報などを用いて物理層フレームに対する復調処理が行われる。また、上述した５つの伝送方式（IP/UDPパケット伝送方式、L2シグナリング伝送方式、L2拡張ヘッダ伝送方式、L1拡張ヘッダ伝送方式、又は、L1シグナリング伝送方式）に応じて、物理層フレームにおいて、選局情報、時刻情報、及び、ヘッダ圧縮情報を含む周期的伝送情報が、データ部の先頭（プリアンブルの直後）、又はブートストラップ若しくはプリアンブルに配置されているので、この復調処理では、当該周期的伝送情報が抽出され、処理されることになる。
【０２２１】
ステップＳ２０３において、処理部２１４は、ステップＳ２０２の処理で得られる信号（データ）に対する処理（例えば復号処理など）を行う。また、制御部２１１又は処理部２１４は、ステップＳ２０２の処理によって、選局情報、時刻情報、又はヘッダ圧縮情報などの周期的伝送情報が抽出された場合、当該周期的伝送情報に応じた処理を行う。
【０２２２】
ステップＳ２０４において、出力部２１５は、ステップＳ２０３の処理で得られる映像や音声のデータに応じて、テレビ番組等のコンテンツの映像と音声を出力する。ステップＳ２０４の処理が終了すると、図２６の受信処理は終了される。
【０２２３】
以上、受信処理の流れについて説明した。この受信処理においては、送信装置１０からのデジタル放送信号が受信され、IP/UDPパケット伝送方式、L2シグナリング伝送方式、L2拡張ヘッダ伝送方式、L1拡張ヘッダ伝送方式、又は、L1シグナリング伝送方式のいずれかの方式によって、物理層フレームにおいて、データ部の先頭（プリアンブルの直後）、又はブートストラップ若しくはプリアンブルに配置されている周期的伝送情報が抽出されることになるため、例えば、選局情報を用いた選局処理の高速化や、精度の高い時刻情報の伝送を実現することができる。
【０２２４】
具体的には、例えば、受信装置２０（の復調部２１３）においては、物理層フレームのプリアンブルを処理した後に、それに続いて伝送されるデータ部の先頭（プリアンブルの直後）から、選局情報（周期的伝送情報）が迅速に抽出されることになるため、制御部２１１乃至処理部２１４などにより実行される選局処理を高速化することができる。
【０２２５】
また、例えば、受信装置２０（の復調部２１３）においては、一定の周期で伝送される物理層フレームのプリアンブルを処理した後に、それに続いて伝送されるデータ部の先頭（プリアンブルの直後）にマッピングされた時刻情報（周期的伝送情報）が抽出されることになるため、制御部２１１及び処理部２１４などは、この精度の高い時刻情報を用いて、確実に映像と音声の同期（提示同期）をとることができる。
【０２２６】
＜６．変形例＞
【０２２７】
上述した説明としては、デジタル放送の規格として、米国等で採用されている方式であるATSC（特に、ATSC3.0）を説明したが、本技術は、日本等が採用する方式であるISDB(Integrated Services Digital Broadcasting)や、欧州の各国等が採用する方式であるDVB(Digital Video Broadcasting)などに適用するようにしてもよい。また、上述した説明では、IP伝送方式が採用されるATSC3.0を例にして説明したが、IP伝送方式に限らず、例えば、MPEG2-TS方式等の他の方式に適用するようにしてもよい。
【０２２８】
また、デジタル放送としては、地上波放送のほか、放送衛星（BS)や通信衛星（CS）等を利用した衛星放送や、ケーブルテレビ（CATV）等の有線放送などに適用することができる。
【０２２９】
上述したシグナリング情報やパケットなどの名称は、一例であって、他の名称が用いられる場合がある。ただし、これらの名称の違いは、形式的な違いであって、対象のシグナリング情報やパケットなどの実質的な内容が異なるものではない。例えば、BBパケット(Baseband Packet)は、BBストリーム(Baseband Stream)やBBフレーム(Baseband Frame)などと称される場合がある。また、例えば、ALP(ATSC Link-layer Protocol)パケットは、Genericパケットなどと称されることもある。
【０２３０】
上述した説明では、時刻情報として、PTPとNTPで規定される時刻の情報を中心に説明したが、それに限らず、UTC(協定世界時)で規定される時刻の情報や、各タイムゾーンの標準時の時刻であるローカル時刻（LT：Local Time）、3GPP(Third Generation Partnership Project)で規定されている時刻の情報や、GPS(Global Positioning System)情報に含まれる時刻の情報、その他独自に決定された形式の時刻の情報等の任意の時刻の情報を用いることができる。
【０２３１】
なお、本技術は、伝送路として、放送網以外の伝送路、すなわち、例えば、インターネットや電話網等の通信回線（通信網）などを利用することを想定して規定されている所定の規格（デジタル放送の規格以外の規格）などにも適用することができる。その場合には、伝送システム１（図１）の伝送路３０として、インターネットや電話網などの通信回線が利用され、送信装置１０は、インターネット上に設けられたサーバとすることができる。そして、受信装置２０が通信機能を有するようにすることで、送信装置１０（サーバ）は、受信装置２０からの要求に応じて、処理を行うことになる。また、受信装置２０は、送信装置１０（サーバ）から伝送路３０（通信回線）を介して送信されてくるデータを処理する。
【０２３２】
＜７．コンピュータの構成＞
【０２３３】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２７は、上述した一連の処理をプログラムにより実行するコンピュータのハードウェアの構成例を示す図である。
【０２３４】
コンピュータ９００において、CPU(Central Processing Unit)９０１，ROM(Read Only Memory)９０２，RAM(Random Access Memory)９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０２３５】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０２３６】
以上のように構成されるコンピュータ９００では、CPU９０１が、ROM９０２や記録部９０８に記録されているプログラムを、入出力インターフェース９０５及びバス９０４を介して、RAM９０３にロードして実行することにより、上述した一連の処理が行われる。
【０２３７】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０２３８】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０２３９】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２４０】
なお、本技術の実施の形態は、上述した実施の形態に限定されるものではなく、本技術の要旨を逸脱しない範囲において種々の変更が可能である。
【０２４１】
また、本技術は、以下のような構成をとることができる。
【０２４２】
（１）
プリアンブルとデータ部を含む物理層フレームにおいて、周期的に伝送される伝送情報を、前記データ部に配置される他の情報よりも時間的に先に抽出することが可能な領域に配置する処理部と、
前記物理層フレームを、デジタル放送信号として送信する送信部と
を備える送信装置。
（２）
前記伝送情報は、前記プリアンブルの直後であって前記データ部の先頭に配置される
（１）に記載の送信装置。
（３）
前記伝送情報は、送信側と受信側とで同期をとるための時刻情報、パケットのヘッダ情報を圧縮するためのヘッダ圧縮情報、及び、サービスの選局を行うための選局情報のうち、少なくとも１つの情報を含んでいる
（１）又は（２）に記載の送信装置。
（４）
前記データ部において、前記時刻情報、前記ヘッダ圧縮情報、及び、前記選局情報は、その順に配置される
（３）に記載の送信装置。
（５）
前記物理層フレームにおいて、
前記データ部は、１又は複数のPLP(Physical Layer Pipe)を含み、
各PLPの先頭に、各PLPに対応する前記伝送情報を配置している
（１）に記載の送信装置。
（６）
前記伝送情報は、UDP(User Datagram Protocol)パケットを含むIP(Internet Protocol)パケットのペイロードに配置される
（２）乃至（５）のいずれかに記載の送信装置。
（７）
前記伝送情報は、
UDPパケットを含むIPパケットを伝送するための第１の伝送パケットのペイロード、
前記第１の伝送パケットの拡張ヘッダ、又は、
前記第１の伝送パケットを伝送するための第２の伝送パケットの拡張ヘッダ
に配置される
（２）乃至（５）のいずれかに記載の送信装置。
（８）
前記物理層フレームは、前記伝送情報を配置することが可能なブートストラップをさらに含み、
前記伝送情報は、前記ブートストラップ又は前記プリアンブルに配置される
（１）に記載の送信装置。
（９）
送信装置のデータ処理方法において、
前記送信装置が、
プリアンブルとデータ部を含む物理層フレームにおいて、周期的に伝送される伝送情報を、前記データ部に配置される他の情報よりも時間的に先に抽出することが可能な領域に配置し、
前記物理層フレームを、デジタル放送信号として送信する
ステップを含むデータ処理方法。
（１０）
デジタル放送信号として送信される、プリアンブルとデータ部を含む物理層フレームを受信する受信部と、
前記物理層フレームにおいて、前記データ部に配置される他の情報よりも時間的に先に抽出することが可能な領域に配置されている、周期的に伝送される伝送情報に応じた処理を行う処理部と
を備える受信装置。
（１１）
前記伝送情報は、前記プリアンブルの直後であって前記データ部の先頭に配置されている
（１０）に記載の受信装置。
（１２）
前記伝送情報は、送信側と受信側とで同期をとるための時刻情報、パケットのヘッダ情報を圧縮するためのヘッダ圧縮情報、及び、サービスの選局を行うための選局情報のうち、少なくとも１つの情報を含んでいる
（１０）又は（１１）に記載の受信装置。
（１３）
前記データ部において、前記時刻情報、前記ヘッダ圧縮情報、及び、前記選局情報は、その順に配置される
（１２）に記載の受信装置。
（１４）
前記物理層フレームにおいて、
前記データ部は、１又は複数のPLPを含み、
各PLPの先頭に、各PLPに対応する前記伝送情報を配置している
（１０）に記載の受信装置。
（１５）
前記伝送情報は、UDPパケットを含むIPパケットのペイロードに配置される
（１１）乃至（１４）のいずれかに記載の受信装置。
（１６）
前記伝送情報は、
UDPパケットを含むIPパケットを伝送するための第１の伝送パケットのペイロード、
前記第１の伝送パケットの拡張ヘッダ、又は、
前記第１の伝送パケットを伝送するための第２の伝送パケットの拡張ヘッダ
に配置される
（１１）乃至（１４）のいずれかに記載の受信装置。
（１７）
前記物理層フレームは、前記伝送情報を配置することが可能なブートストラップをさらに含み、
前記伝送情報は、前記ブートストラップ又は前記プリアンブルに配置される
（１０）に記載の受信装置。
（１８）
受信装置のデータ処理方法において、
前記受信装置が、
デジタル放送信号として送信される、プリアンブルとデータ部を含む物理層フレームを受信し、
前記物理層フレームにおいて、前記データ部に配置される他の情報よりも時間的に先に抽出することが可能な領域に配置されている、周期的に伝送される伝送情報に応じた処理を行う
ステップを含むデータ処理方法。
【符号の説明】
【０２４３】
１  伝送システム，  １０  送信装置，  ２０  受信装置，  ３０  伝送路，  １１１  物理層変調情報取得部，  １１２  物理層変調情報処理部，  １１３  選局情報取得部，  １１４  選局情報処理部，  １１５  時刻情報取得部，  １１６  時刻情報処理部，  １１７  ヘッダ圧縮情報取得部，  １１８  ヘッダ圧縮情報処理部，  １１９  コンポーネント取得部，  １２０  エンコーダ，  １２１  物理層フレームスケジューラ，  １２２  物理層フレーム生成部，  １２３  送信部，  ２１１  制御部，  ２１２  受信部，  ２１３  復調部，  ２１４  処理部，  ２１５  出力部，  ９００  コンピュータ，  ９０１  CPU
【図１】
2017073336.tif 000003
【図２】
2017073336.tif 000004
【図３】
2017073336.tif 000005
【図４】
2017073336.tif 000006
【図５】
2017073336.tif 000007
【図６】
2017073336.tif 000008
【図７】
2017073336.tif 000009
【図８】
2017073336.tif 000010
【図９】
2017073336.tif 000011
【図１０】
2017073336.tif 000012
【図１１】
2017073336.tif 000013
【図１２】
2017073336.tif 000014
【図１３】
2017073336.tif 000015
【図１４】
2017073336.tif 000016
【図１５】
2017073336.tif 000017
【図１６】
2017073336.tif 000018
【図１７】
2017073336.tif 000019
【図１８】
2017073336.tif 000020
【図１９】
2017073336.tif 000021
【図２０】
2017073336.tif 000022
【図２１】
2017073336.tif 000023
【図２２】
2017073336.tif 000024
【図２３】
2017073336.tif 000025
【図２４】
2017073336.tif 000026
【図２５】
2017073336.tif 000027
【図２６】
2017073336.tif 000028
【図２７】
2017073336.tif 000029
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
プリアンブルとデータ部を含む物理層フレームにおいて、周期的に伝送される伝送情報を、前記データ部に配置される他の情報よりも時間的に先に抽出することが可能な領域として、前記プリアンブルの直後であって前記データ部の先頭に配置する処理部と、
前記物理層フレームを、デジタル放送信号として送信する送信部とを備え、
前記伝送情報は、送信側と受信側とで同期をとるための時刻情報、パケットのヘッダ情報を圧縮するためのヘッダ圧縮情報、及び、サービスの選局を行うための選局情報のうち、少なくとも１つの情報を含み、
前記データ部において、前記時刻情報、前記ヘッダ圧縮情報、及び、前記選局情報は、その順に配置される
送信装置。
【請求項２】
（削除）
【請求項３】
（削除）
【請求項４】
（削除）
【請求項５】
前記物理層フレームにおいて、
前記データ部は、１又は複数のＰＬＰ（Ｐｈｙｓｉｃａｌ  Ｌａｙｅｒ  Ｐｉｐｅ）を含み、
各ＰＬＰの先頭に、各ＰＬＰに対応する前記伝送情報を配置している
請求項１に記載の送信装置。
【請求項６】
前記伝送情報は、ＵＤＰ（Ｕｓｅｒ  Ｄａｔａｇｒａｍ  Ｐｒｏｔｏｃｏｌ）パケットを含むＩＰ（Ｉｎｔｅｒｎｅｔ  Ｐｒｏｔｏｃｏｌ）パケットのペイロードに配置される
請求項１に記載の送信装置。
【請求項７】
前記伝送情報は、
ＵＤＰパケットを含むＩＰパケットを伝送するための第１の伝送パケットのペイロード、
前記第１の伝送パケットの拡張ヘッダ、又は、
前記第１の伝送パケットを伝送するための第２の伝送パケットの拡張ヘッダ
に配置される
請求項１に記載の送信装置。
【請求項８】
前記物理層フレームは、前記伝送情報を配置することが可能なブートストラップをさらに含み、
前記伝送情報は、前記ブートストラップ又は前記プリアンブルに配置される
請求項１に記載の送信装置。
【請求項９】
送信装置のデータ処理方法において、
前記送信装置が、
プリアンブルとデータ部を含む物理層フレームにおいて、周期的に伝送される伝送情報を、前記データ部に配置される他の情報よりも時間的に先に抽出することが可能な領域として、前記プリアンブルの直後であって前記データ部の先頭に配置し、
前記物理層フレームを、デジタル放送信号として送信する
ステップを含み、
前記伝送情報は、送信側と受信側とで同期をとるための時刻情報、パケットのヘッダ情報を圧縮するためのヘッダ圧縮情報、及び、サービスの選局を行うための選局情報のうち、少なくとも１つの情報を含み、
前記データ部において、前記時刻情報、前記ヘッダ圧縮情報、及び、前記選局情報は、その順に配置される
データ処理方法。
【請求項１０】
デジタル放送信号として送信される、プリアンブルとデータ部を含む物理層フレームを受信する受信部と、
前記物理層フレームにおいて、前記データ部に配置される他の情報よりも時間的に先に抽出することが可能な領域として、前記プリアンブルの直後であって前記データ部の先頭に配置されている、周期的に伝送される伝送情報に応じた処理を行う処理部と
を備え、
前記伝送情報は、送信側と受信側とで同期をとるための時刻情報、パケットのヘッダ情報を圧縮するためのヘッダ圧縮情報、及び、サービスの選局を行うための選局情報のうち、少なくとも１つの情報を含み、
前記データ部において、前記時刻情報、前記ヘッダ圧縮情報、及び、前記選局情報は、その順に配置される
受信装置。
【請求項１１】
（削除）
【請求項１２】
（削除）
【請求項１３】
（削除）
【請求項１４】
前記物理層フレームにおいて、
前記データ部は、１又は複数のＰＬＰを含み、
各ＰＬＰの先頭に、各ＰＬＰに対応する前記伝送情報を配置している
請求項１０に記載の受信装置。
【請求項１５】
前記伝送情報は、ＵＤＰパケットを含むＩＰパケットのペイロードに配置される
請求項１０に記載の受信装置。
【請求項１６】
前記伝送情報は、
ＵＤＰパケットを含むＩＰパケットを伝送するための第１の伝送パケットのペイロード、
前記第１の伝送パケットの拡張ヘッダ、又は、
前記第１の伝送パケットを伝送するための第２の伝送パケットの拡張ヘッダ
に配置される
請求項１０に記載の受信装置。
【請求項１７】
前記物理層フレームは、前記伝送情報を配置することが可能なブートストラップをさらに含み、
前記伝送情報は、前記ブートストラップ又は前記プリアンブルに配置される
請求項１０に記載の受信装置。
【請求項１８】
受信装置のデータ処理方法において、
前記受信装置が、
デジタル放送信号として送信される、プリアンブルとデータ部を含む物理層フレームを受信し、
前記物理層フレームにおいて、前記データ部に配置される他の情報よりも時間的に先に抽出することが可能な領域として、前記プリアンブルの直後であって前記データ部の先頭に配置されている、周期的に伝送される伝送情報に応じた処理を行う
ステップを含み、
前記伝送情報は、送信側と受信側とで同期をとるための時刻情報、パケットのヘッダ情報を圧縮するためのヘッダ圧縮情報、及び、サービスの選局を行うための選局情報のうち、少なくとも１つの情報を含み、
前記データ部において、前記時刻情報、前記ヘッダ圧縮情報、及び、前記選局情報は、その順に配置される
データ処理方法。
【国際調査報告】
2017073336.tif 000030
2017073336.tif 000031